(57)【要約】【課題】  集塵部において、吸引風に対してより強力な旋回力を付与すること。【解決手段】  電気掃除機において、塵埃を吸引する吸引力を発生する電動送風機と、吸引した塵埃を内部に蓄積する集塵部を搭載する本体を有し、集塵部には、電動送風機が発生する吸引力により、塵埃を含んだ吸引風を取り込む通気路を構成する開口と、塵埃が混ざった吸引風から塵埃を遠心分離する為の旋回風を発生させるサイクロン部と、集塵部に取り込んだ吸引風を後方に排出する排出口と、この排出口を覆うフィルターが設けられ、電動送風機の前面には、発生した吸引力により空気を吸い込む吸引口が開口し、電動送風機の吸引口の開口は、前記通気路の開口より上方に位置させる。【選択図】図３
2011010932.tif 000002
【特許請求の範囲】
【請求項１】
塵埃を吸引する吸引力を発生する電動送風機と、吸引した塵埃を内部に蓄積する集塵部を搭載する本体を有し、
前記集塵部には、前記電動送風機が発生する吸引力により、塵埃を含んだ吸引風を取り込む通気路を構成する開口と、塵埃が混ざった吸引風から塵埃を遠心分離する為の旋回風を発生させるサイクロン部と、該集塵部に取り込んだ吸引風を後方に排出する排出口と、該排出口を覆うフィルターが設けられ、
前記電動送風機の前面には、発生した吸引力により空気を吸い込む吸引口が開口し、
前記電動送風機の吸引口の開口は、前記通気路の開口より上方に位置することを特徴とする電気掃除機。
【請求項２】
前記フィルターの吸引風の流れの上流側の面は、後方に傾けた状態で設けられていることを特徴とする請求項１に記載の電動掃除機。
【請求項３】
前記電動送風機の下側に、電気掃除機の制御を行う制御部を搭載したことを特徴とする請求項１又は２のいずれかに記載の電気掃除機。
【発明の詳細な説明】
【技術分野】
【０００１】
本発明は、集塵部にサイクロン部を用いることにより、吸引した空気から塵埃を分離する電気掃除機に関する。
【背景技術】
【０００２】
従来から、掃除機本体に形成された集塵室に、着脱自在に取り付ける集塵部の内部にサイクロン部（遠心分離部）を設け、このサイクロン部に吸気した塵埃を含む空気（吸引風）を衝突させることにより旋回させて、空気と塵埃に遠心分離する電気掃除機がある。
このような電気掃除機は、本体前部に形成された塵埃を本体内部に取り込む開口部の開口中心と、吸引力を発生させる電動送風機の吸込部の開口中心とを、前後に略一致するように構成し、水平面に対して平行な方向に吸引力が発生するように構成されている（例えば、引用文献１参照）。
【先行技術文献】
【特許文献】
【０００３】
【特許文献１】特開２００７−２９２１７号公報
【発明の概要】
【発明が解決しようとする課題】
【０００４】
しかしながら、特許文献１に開示されている構成は、サイクロン部に対して略水平方向からしか吸引風が衝突しないことから、吸引風の旋回力に不十分な場合があった。また、十分な旋回力を発生させる為に、複雑な形状のサイクロン部を用いる必要があった。
【０００５】
そこで本発明は、上記の問題を解決するためになされたもので、集塵部において、吸引風に対してより強力な旋回力を付与することが可能な電気掃除機を提供することを目的とする。
【課題を解決するための手段】
【０００６】
上記の課題を解決する為には、電気掃除機において、塵埃を吸引する吸引力を発生する電動送風機と、吸引した塵埃を内部に蓄積する集塵部を搭載する本体を有し、集塵部には、電動送風機が発生する吸引力により、塵埃を含んだ吸引風を取り込む通気路を構成する開口と、塵埃が混ざった吸引風から塵埃を遠心分離する為の旋回風を発生させるサイクロン部と、集塵部に取り込んだ吸引風を後方に排出する排出口と、排出口を覆うフィルターが設け、電動送風機の前面には、発生した吸引力により空気を吸い込む吸引口が開口し、電動送風機の吸引口の開口は、前記通気路の開口より上方に位置するように構成する。
【発明の効果】
【０００７】
以上のように各部を構成すれば、集塵部の内部を流下する吸引風を、斜め上方向を向いて流下させることが可能となる。これにより、集塵部の内部に設けられたサイクロン部やフィルターの面に対して、斜めに吸引風が衝突して、各面に沿って吸引風が旋回することで、より強い旋回風を集塵内部に発生させることができる。
従って、吸引風から細かい塵埃等を分離可能なサイクロン部を有し、フィルターの目詰まりが発生しにくい集塵部を構成することが可能となる。
【図面の簡単な説明】
【０００８】
【図１】電気掃除機の全体図を示す斜視図
【図２】本体の全体を示す上面図
【図３】図２のＡ−Ａ断面図
【図４】集塵部の斜視図
【図５】集塵部の上方から見た平面図
【図６】図５のＢ−Ｂ断面図
【図７】集塵部の後開口を開放した状態の斜視図
【図８】サイクロン部の斜視図
【発明を実施するための形態】
【０００９】
以下、図面を参照して、本発明の実施の形態について説明する。
図１〜図３を参照すると、電気掃除機Ｃは、本体１０と把持部を有するホース３０と延長パイプ４０と床用吸引具５０から構成されている。
本体１０の前部には、塵埃を本体１０に案内する蛇腹状のホース３０がホース差込口に接続されている。このホース３０には、塵埃を延長パイプ４０と結合部で結合接続されている
【００１０】
そして、延長パイプ４０の先端に形成された接続部には、被清掃面から直接塵埃を吸引する床ブラシ等を有する床用吸引具５０が着脱自在に取り付けられる。
また、本体１０の後部には、内部に搭載する電動送風機の排気を外部に排出する排気口６０が開口している。
【００１１】
次に、図２〜３を参照して、本体１０について説明する。
本体１０の外郭は、合成樹脂により形成される下ケース１１と上ケース１２と蓋体１３から成り、本体下ケース１１の内部に各部が組み込まれた状態で、本体上ケース１２と蓋体１３が本体下ケース１１を覆っている。
【００１２】
本体下ケース１１の前側上部には、後述する蓋体１３を係止し、蓋体の開放を抑制する蓋体係止部１１ｋが設けられている。
また、本体下ケース１１内部には、内部を前後に仕切ることにより、前側に吸引した塵埃を集塵する集塵部２０を装着する集塵室１４が形成され、後ろ側に吸引力を発生させる為の電動送風機１９や制御部Ｔを搭載する電動送風機室１５が形成される。
この電動送風機室１５の下部には、外部から電源を得る為の電源コードを格納するコードリールＫが位置している。
【００１３】
電動送風機室１５に搭載される電動送風機１９は、ファンとモーターを有し、前面には空気を吸い込む吸引口１９ａが開口している。そして、この電動送風機１８は、吸引口１９ａの開口中心１９ｒが、後述する集塵部２０の通気路２１ｅの開口中心２１ｒより上方に位置するように、電動送風機室１５に搭載されている。
また、電動送風機１９の下部には、電気掃除機の各種制御を行う制御部Ｔが位置している。このように、電動送風機１８の吸引口１９ａを上方にすることにより形成されたスペースに、制御部Ｔを設けることにより、本体内部をコンパクトに構成することが可能である。
【００１４】
次に、集塵室１４は、前後左右を下ケース１１に形成された壁で囲まれ、上部には後述する集塵部２０を出し入れする上開口部１８が開口している。
そして、集塵室１４の前側の壁面には塵埃を取り込む為の取り込み口となる前開口部１６が形成され、後ろ側の集塵室１４と電動送風機室１５を隔てる内壁１７には、集塵室１４で塵埃が取り除かれた空気が電動送風機室１５へと流れる風路となる円形の後開口部１７ｒが形成されている。
【００１５】
また、集塵室１４には、吸引した空気と塵埃を分離し、塵埃を貯める為の容器として、サイクロン部２３が設けられた集塵部２０が取付けられる。そして、集塵室１４に対して集塵部２０を着脱するための上開口部１８は、上方を蓋体１３により開閉自在に覆われている。
【００１６】
この蓋体１３には、蓋体が１３を閉鎖した状態において、集塵室１４の前側と上下に重なる部分に、突起部１３ａが下方向に延在して設けられている。
また、蓋体１３の突起部１３ａの前側の位置には、蓋体１３が上開口部１８を閉鎖した際、本体ケース１１の蓋体係止部１１ｋに係止されることで、蓋体の開放を抑制する係止部１３ｂが形成されている。
【００１７】
次に、図４〜図８を参照して、集塵部２０について説明する。
集塵部２０は、後部が開口している集塵ケース２１と、この開口を覆う蓋部２２により構成された容器状の部材であり、内部に取り込んだ空気の旋回流を発生させ、空気と塵埃を分離する為のサイクロン部２３が設けられている。
【００１８】
集塵ケース２１は、後部に開口した箱形状であり、前部２１ａと上部２１ｂと左右の側部２１ｃと底部２１ｄを合成樹脂により一体成型することにより構成されている。
前面２１ａには、掃除機本体１０の前開口部１６と連通し、吸引された塵埃の混ざった空気を集塵部２０内部へ取り込む通気路２１ｅが開口している。
尚、集塵部２０を本体１１に取り付けたとき、通気路２１ｅの開口中心２１ｒは、電動送風機１９の吸引口１９ａの開口中心１９ｒより、下方に位置する。
【００１９】
次に、蓋部２２は、枠体の内面側（吸引風の上流側）に漏斗状のフィルター２２ｆが設けられ、外面側（吸引風の下流側）に平板状のフィルターが圧入されて構成されている。このフィルター２２ｆは、集塵部２０を本体１０に取り付けた際に、吸引風の上流側の面２２ｇを後方（吸引風の下流側）に傾いた状態となるように、蓋体２２に取り付けられている。
蓋部２２は、下端部２２ａが集塵ケース２１の底部２１ｄの下部に軸支され、上端部２２ｂは集塵ケースと係合する係合部を形成することにより、集塵ケース２１の後部開口２１ｆを開閉可能に、集塵ケース２１に装着されている。
【００２０】
このように、集塵ケース２１の後部開口２１ｆを蓋部２２で開閉自在に覆うことで、集塵部２０の内部に貯めた塵埃を排出可能に構成されている。
また、蓋部２２にフィルター２２ｆを設けることにより、集塵部２０の内部に取り込んだ吸引風が、フィルター２２ｆを通過して、後方へ流下可能に構成されている。尚、フィルター２２ｆは、集塵室２０内部で、吸引風から分離しきれなかった小さな塵埃を吸引風から濾し取り、回収する為のものである。
【００２１】
次に、図６〜図８を参照して、サイクロン部２３について説明する。
集塵部２０の内部には、通気路２１ｅより吸引した塵埃の混ざった吸引風を旋回させるサイクロン部２３が設けられる。
サイクロン部２３は、板状の前面板２３ｈと、この前面板２３ｈに開口する第１の開口部２３と、この第１の開口部２３ａより後方の位置し、第１の開口部２３ａの開口面積より開口部が小さい第２の開口部２３ｂが形成されている。
【００２２】
そして、第１の開口部２３ａの周縁と第２の開口部２３ｂの周縁は、下部を平面部２３ｃで、その他の部位を曲面部２３ｋより繋がっている。つまり、サイクロン部２３は、曲面部２３ｋと平面部２３ｃにより構成された筒部の両側に、第１の開口部２３ａと第２の開口部２３ｂが開口した形状をしている。
ここで、曲面部２３ｋの形状は、流下する吸引風が接触すると、吸引風の流下方向を大まかに所定の方向へと向きを変える曲面形状に構成されている。
【００２３】
本実施の形態の場合、曲面２３ｋに接触した吸引風は、第１の開口部２３ａの中心に右回転方向に流れる向きを変えるように曲面２３の形状が構成されている。
また、曲面部２３ｋの左下側の平面部２３ｃと接する部位には、側方開口部２３ｄが開口している。更に、前面板２３ａの右辺には、後方に向かって右側壁２３ｅが設けられている。
尚、曲面部２３ｋは、滑らかに連続した曲面により構成しても良く、また、平面を複数組み合わせることで、全体として曲面を構成しても良い。
【００２４】
尚、サイクロン部２３が集塵部２０に取り付けられている状態では、集塵部２０に形成された通気路２１ｅの開口は、サイクロン部２３の第１の開口部２３ａと、第２の開口部２３ｂと、曲面２３ｋとは、それぞれ前後に重なる位置となる。
また、サイクロン部２３の曲面２３ｋと平面部２３ｃに囲まれた空間は、後述する吸引風が曲面２３ｋに衝突することによりもたらされる旋回流が旋回するサイクロン発生室Ｓとなる。
【００２５】
次に、図６〜図８を参照して、集塵室２０の内部に流入する吸引風と各部の関係を説明する。
まず集塵部２０の内部へは、掃除機本体１０の前開口部１６と連通する通気路２１ｅから、吸引された塵埃の混ざった空気（以下、吸引風）を取り込まれる。
この時、電動送風機１８の吸引口１９ａの開口中心１９ｒが、通気路２１ｅの開口中心２１ｒより上方に位置するので、吸引風は、通気路２１ｅを通過した後、斜め上方向に向かって流下する。
そして、集塵部２０に流入した吸引風は、大別すると２つの流路を流下して、後部開口２１ｆを通過する。
【００２６】
まず第１の風路Ａは、サイクロン部２３の第１の開口部２３ａを通過した後、曲面２３ｋに衝突する風路である。
曲面２３ｋに衝突した吸引風は、曲面２３ｋの形状に沿って、第１の開口部２３ａを右回転方向に流れる向きに変える。この時、吸引風は斜め上方向に向かって曲面２３ｋに衝突するので、衝突後の吸引風が曲面２３ｋに沿って流れやすい。
そして、吸込風は、曲面２３ｋに沿って右回転の方向に流下することにより、右回転の旋回流がサイクロン発生室Ｓ内部に発生する。
【００２７】
この旋回流となった吸引風は、平面部２３ｃ上を図７中右から左に流下し、側方開口部２３ｄからサイクロン発生室Ｓの外部に流下する。
つまり、曲面２３ｋに沿って流下する旋回流は、続いて、平面部２３ｃの面を沿って流下することから、曲面２３ｋと平面面部２３ｃは、旋回流の流路を形成する。
尚、側方開口部２３ｄからサイクロン発生室Ｓの外部に流出しない吸引風は、サイクロン発生室Ｓ内部を旋回し続け、更に強力な旋回流を発生する。
【００２８】
このように、サイクロン発生室Ｓの内部から外部にかけて吸引風が旋回しながら集塵室２０内部を流れる際に発生する遠心力により、塵埃と空気とに分離される。分離された塵埃は、集塵室２０の側壁とサイクロン部２３に設けられた右側壁２３ｅに挟まれた空間から、旋回する吸引風の流路に徐々に蓄積される。
そして、分離された空気は、集塵ケース２１の後部開口２１ｆに設けられたフィルターを通過して、電動送風機室へと流下する。
【００２９】
次に、吸引風の第２の風路Ｂは、第１の開口部２３ａを通過した後、曲面２３ｋには衝突せず第２の開口部２３ｂを通過して、集塵ケース２１の後部開口２１ｆに設けられたフィルター２２ｆを通過して、電動送風機室へと流下する風路である。
フィルター２２ｆに到達した吸引風の一部は、フィルター２２ｆの上流側の面２２ｇに衝突する。この時、吸引風は斜め上方向を向いた状態で面２２ｇに衝突するので、衝突した吸引風は、上方向に流下方向を変え旋回流となる。
特に、面２２ｇは集塵部２０の内部に後ろ方向に傾斜して設けられているので、吸引風が、面２２ｇに対して、より斜め方向に傾いた状態で接触することができ、より強い旋回流を発生することが可能である。
【００３０】
以上のように各部を構成することで、集塵部２０の内部を流下する吸引風を、斜め上方向を向いて流下させることが可能となる。これにより、集塵部の内部に設けられたサイクロン部２３やフィルター２２ｆの面に対して、斜めに吸引風が衝突して、各面に沿って吸引風が旋回することで、より強い旋回風を集塵内部に発生させることができる。
従って、吸引風から細かい塵埃等を分離可能なサイクロン部を有し、フィルターの目詰まりが発生しにくい集塵部を構成することが可能となる。
【符号の説明】
【００３１】
Ｃ  電気掃除機、１０  本体  、１１  下ケース、１２  上ケース、１３  蓋体、
１４集塵室、１５  電動送風機室、１６  前開口部、２０  集塵部  ３０  ホース  
４０  延長パイプ、５０  床用吸込具、Ｓ  サイクロン室
【図１】
2011010932.tif 000003
【図２】
2011010932.tif 000004
【図３】
2011010932.tif 000005
【図４】
2011010932.tif 000006
【図５】
2011010932.tif 000007
【図６】
2011010932.tif 000008
【図７】
2011010932.tif 000009
【図８】
2011010932.tif 000010